(57)【特許請求の範囲】
【請求項１】
ある印章色の印章を有する紙葉類を照明する照明手段と、
上記紙葉類からの反射光線を２系統に分岐する分岐手段と、
分岐された一方の光線に含まれる印章色成分のみを選択的に遮断する印章色遮断フィルターと、
分岐された他方の光線に含まれる印章色成分のみを選択的に透過する印章色透過フィルターと、
上記印章色遮断フィルターを通過した光成分を光電変換する第１の変換手段と、
上記印章色透過フィルターを通過した光成分を光電変換する第２の変換手段と、
上記第１の変換手段からの出力信号をデジタル化する第１のＡＤコンバーターと、
上記第２の変換手段からの出力信号をデジタル化する第２のＡＤコンバーターと、
上記第１のＡＤコンバータから出力されるデジタル信号を記憶する第１のメモリと、
上記第２のＡＤコンバータから出力されるデジタル信号を記憶する第２のメモリと、
上記紙葉類の基準となる印章の位置、印章の形状および印章の色のそれぞれの標準データを記憶する第３のメモリと、
上記第１のメモリに記憶された上記紙葉類のデータと上記第３のメモリに記憶された基準となる印章の位置の標準データとにより上記印章の位置を判別し、上記印章の位置が判別できた場合に、上記第１のメモリの印章部分のみのデータから抽出した第１の１次元データと上記第３のメモリに記憶された印章の形状を判定するための上記印章の位置と同じ位置の標準データとを照合して一致した場合には上記印章の形状が一致していると判別し、上記印章の形状が一致している場合に、上記第２のメモリに記憶された上記第１の１次元データと同じ座標の第２の１次元データを用意し、上記第１および第２の１次元データをそれぞれ積分して得られる第１および第２の積分データと上記第３のメモリに記憶された上記印章の色を判定するための上記第１および第２の積分データに対応する標準積分値とをそれぞれ比較することにより印章の色が一致しているか判別することにより印章を判別する判別手段と、
を備えていることを特徴とする印章判別装置。
【発明の詳細な説明】
【０００１】
【産業上の利用分野】
この発明は、紙葉類に押印された印章を判別する印章判別装置に関し、特に、印章の位置、形状、および色を判別することにより印章を判別する印章判別装置に関する。
【０００２】
【従来の技術】
従来、印章判別装置としては、紙葉類に設けられた印章の印章色のみを選択的に遮断する印章色遮断フィルターを備えた装置が知られている。この種の装置を用いて印章を判別する場合には、まず、紙葉類に参照光を照射し、紙葉類からの反射光線を印章色遮断フィルターを介してＣＣＤに入射する。そして、ＣＣＤにおいて光電変換された２次元データは、予め用意された標準データと比較されてデータ照合される。照合の結果、２次元データが標準データと一致する場合に印章形状の一致が判断され、印章が判別される。
【０００３】
【発明が解決しようとする課題】
しかしながら、上述のように印章色遮断フィルターを利用する場合には、印章色近傍の波長を有する光も遮断されるため、印章色と僅かに異なる色パターンであっても印章として判別する可能性があり、正確な判別がなされない問題がある。
【０００４】
また、従来のように、２次元データを用いて印章の形状を判別する場合には、データの照合に多くの時間を必要とし、印章の判別に多くの時間を要する問題がある。
この発明は、以上の点に鑑みなされたもので、その目的は、正確且つ高速に印章の判別が可能な印章判別装置を提供することにある。
【０００５】
【課題を解決するための手段】
上記目的を達成するため、この発明に係る印章判別装置は、ある印章色の印章を有する紙葉類を照明する照明手段と、上記紙葉類からの反射光線を２系統に分岐する分岐手段と、分岐された一方の光線に含まれる印章色成分のみを選択的に遮断する印章色遮断フィルターと、分岐された他方の光線に含まれる印章色成分のみを選択的に透過する印章色透過フィルターと、上記印章色遮断フィルターを通過した光成分を光電変換する第１の変換手段と、上記印章色透過フィルターを通過した光成分を光電変換する第２の変換手段と、上記第１の変換手段からの出力信号をデジタル化する第１のＡＤコンバーターと、上記第２の変換手段からの出力信号をデジタル化する第２のＡＤコンバーターと、上記第１のＡＤコンバータから出力されるデジタル信号を記憶する第１のメモリと、上記第２のＡＤコンバータから出力されるデジタル信号を記憶する第２のメモリと、上記紙葉類の基準となる印章の位置、印章の形状および印章の色のそれぞれの標準データを記憶する第３のメモリと、上記第１のメモリに記憶された上記紙葉類のデータと上記第３のメモリに記憶された基準となる印章の位置の標準データとにより上記印章の位置を判別し、上記印章の位置が判別できた場合に、上記第１のメモリの印章部分のみのデータから抽出した第１の１次元データと上記第３のメモリに記憶された印章の形状を判定するための上記印章の位置と同じ位置の標準データとを照合して一致した場合には上記印章の形状が一致していると判別し、上記印章の形状が一致している場合に、上記第２のメモリに記憶された上記第１の１次元データと同じ座標の第２の１次元データを用意し、上記第１および第２の１次元データをそれぞれ積分して得られる第１および第２の積分データと上記第３のメモリに記憶された上記印章の色を判定するための上記第１および第２の積分データに対応する標準積分値とをそれぞれ比較することにより印章の色が一致しているか判別することにより印章を判別する判別手段と、を備えている。
【０００７】
この発明に係る印章判別装置によれば、ある印章色の印章を有する紙葉類が照明され、その反射光線が印章色遮断フィルターおよび印章色透過フィルターへ入射される。印章色遮断フィルターに入射された反射光線は、ここで反射光線に含まれる印章色成分が選択的に遮断され、印章色遮断フィルターを通過した光成分が第１の変換手段および第１のＡＤコンバーターを介してデジタル信号として第１のメモリに記憶される。また、印章色透過フィルターに入射された反射光線は、ここで反射光線に含まれる印章色成分が選択的に透過され、印章色透過フィルターを通過した光成分が第２の変換手段および第２のＡＤコンバーターを介してデジタル信号として第２のメモリに記憶される。第１および第２のメモリに記憶された各検出データは、判別手段に供給され、判別手段は、これら検出データを第３のメモリに予め記憶した印章の位置、印章の形状、および印章の色それぞれの標準データと比較し、この比較結果に基づいて印章を判別する。
【０００８】
【実施例】
以下、図面を参照しながらこの発明の実施例について詳細に説明する。
図１に示すように、この発明の実施例に係る印章判別装置は、判別対象としての印章が押印された紙葉類２を搬送するための搬送路４を備えている。この搬送路４上には、駆動ローラ４ａ、４ｂが設けられ、紙葉類２は搬送路４に沿って図中矢印Ａで示される主走査方向に搬送可能となっている。
【０００９】
搬送路４の一側には、搬送される紙葉類２の表面に参照光線を照射する照明手段としての光源６が設けられている。光源６からの光線が紙葉類２により反射される位置には、反射光線を２系統に分岐する分岐手段としてのハーフミラー８が設けられている。
【００１０】
ハーフミラー８により分岐された一方の光路上には、印章色の光成分（印章の色と同じ波長の光成分）のみを選択的に遮断可能な印章色遮断フィルター１２（以下、単に遮断フィルター１２と称する）が集光レンズ１１を介して設けられており、遮断フィルター１２の後段の光路上にはＣＣＤ１４が設けられている。また、ハーフミラー８により分岐された他方の光路上には、印章色の光成分のみを選択的に透過可能な印章色透過フィルター１６（以下、単に透過フィルター１６と称する）が集光レンズ１５を介して設けられており、透過フィルター１６の後段の光路上には同様にＣＣＤ１８が設けられている。尚、ＣＣＤ１４、１８は、変換手段（或いは、検出手段）として作用する、紙葉類２の搬送方向と略直交する副走査方向に延びたラインセンサとしてのＣＣＤであり、紙葉類２が主走査方向に搬送されることによって紙葉類２の全表面が走査される。
【００１１】
ＣＣＤ１４、１８の出力端は、それぞれ増幅器２２、２４に接続されており、各増幅器２２、２４の出力端には第１および第２のＡＤコンバーター２６、２８が接続されている。そして、各ＡＤコンバーター２６、２８には、メモリ３２、３４が接続されており、各メモリ３２、３４は、判別手段としてのプロセッサ３６に接続されている。
【００１２】
以上のように構成された印章判別装置は、以下のように動作される。
搬送路４を搬送される紙葉類２の表面に光源６からの参照光線を照射すると、紙葉類２からの反射光線は、ハーフミラー８に入射される。ハーフミラー８に入射された反射光線の一部はそのまま通過され、残りは略直角に反射されて、光線が２系統に分岐される。
【００１３】
２系統に分岐された一方の光線は、集光レンズ１１を介して遮断フィルター１２を通過された後、ＣＣＤ１４に入射され、ここで光電変換される。一方、分岐された他方の光線は、集光レンズ１５を介して透過フィルター１６を通過された後、ＣＣＤ１８に入射され、ここで光電変換される。
【００１４】
ＣＣＤ１４、１８で光電変換されて出力される各出力信号は、増幅器２２、２４でそれぞれ増幅され、ＡＤコンバーター２６、２８でデジタル化され、メモリ３２、３４に記憶される。そして、デジタル化されてメモリ３２、３４に記憶されたデータは、プロセッサ３６により逐一読み出されて、プロセッサ３６により処理されて印章が判別される。
【００１５】
次に、プロセッサ３６の印章判別動作について図２を用いて説明する。
印章を判別する場合、プロセッサ３６は、まず、メモリ３２に格納されたデータ（遮断フィルター１２を通過したデータ）を用いて、ステップ４１に示すように、紙葉類２の印章位置を判別する。印章位置が判別されると、印章が存在する部分のみの印章データが取り出され、ステップ４２に示すように、この印章データから予め決定された位置の１次元データが抽出される。
【００１６】
抽出された１次元データは、ステップ４３に示すように、予め用意された同じ位置の標準データ（判別基準となる１次元データ）と比較され、この比較結果に基づいて印章の形状が判別される。つまり、１次元データが標準データと一致（ステップ４４）する場合には、形状の一致が判別され、１次元データが標準データと不一致（ステップ４５）の場合には、形状の不一致が判別される。
【００１７】
このように形状が判別されると、ステップ４６に示すように、印章の色が判別される。印章色を判別する場合には、上述した１次元データを用意するとともに、メモリ３４に格納されたデータ（透過フィルター１６を通過したデータ）から同様に抽出した１次元データを用意し、これら２つのデータをそれぞれ積分して、これら積分値をそれぞれ予め用意された対応する標準積分値と比較する。そして、２つの積分値が両方とも標準積分値と一致する場合にのみ色の一致を判別し（ステップ４７）、それ以外の場合に色の不一致を判別する（ステップ４８）。
【００１８】
以上のように、印章位置が判別され、印章形状の一致が判別され、印章色の一致が判別された場合にのみ、印章の一致が判別される（ステップ４９）。
次に、図３乃至図５を用いて、上述した印章位置の判別方法についてより詳細に説明する。
【００１９】
紙葉類２に押印された印章の印章位置を判別する場合、まず、メモリ３２に格納された紙葉類２の２次元データをプロセッサ３６内に読み込む。そして、プロセッサ３６は、このデータを紙葉類２の副走査方向に沿って加算し、図４のグラフに示すような出力分布を有する紙葉類２の主走査方向に沿った１次元データを算出する（ステップ５１）。
【００２０】
次に、印章が存在すべき範囲であって、主走査方向に沿って予め決定された範囲（Ａ１  〜Ａ２  ）を図示しないメモリから読み込み、この範囲内のデータだけを残して、それ以外のデータを除外し、データをＡ１  〜Ａ２  の範囲に限定する（ステップ５２）。
【００２１】
そして、ステップ５３に示すように、この範囲内の印章データの長さＢを算出し、誤差を考慮して予め決定されたＢの下限値ＢＬ  および上限値ＢＨ  を図示しないメモリから読み込み、ステップ５４に示すように、ＢがＢＬ  からＢＨ  の間に収まっているかどうかを判断する。Ｂがこの範囲（ＢＬ  〜ＢＨ  ）内にあれば、印章有りが判断され、ステップ５５に示すように、主走査方向に沿った印章位置が範囲Ｃ内に特定される。また、Ｂが範囲（ＢＬ  〜ＢＨ  ）を外れている場合、ステップ５６に示すように、印章無しが判別されて判別動作が終了される。
【００２２】
このように、主走査方向に沿った印章位置が判別されると、範囲Ｃ内のデータのみを考慮してこのデータが主走査方向に沿って加算され、図５のグラフに示すような出力分布を有する副走査方向に沿った１次元データが算出される（ステップ５７）。
【００２３】
次に、印章が存在すべき範囲であって、副走査方向に沿って予め決定された範囲（Ｄ１  〜Ｄ２  ）を図示しないメモリから読み込み、この範囲内のデータだけを残して、それ以外のデータを除外し、データをＤ１  〜Ｄ２  の範囲に限定する（ステップ５８）。
【００２４】
そして、ステップ５９に示すように、この範囲内の印章データの長さＥを算出し、誤差を考慮して予め決定されたＥの下限値ＥＬ  および上限値ＥＨ  を図示しないメモリから読み込み、ステップ６０に示すように、ＥがＥＬ  からＥＨ  の間に収まっているかどうかを判断する。Ｅがこの範囲（ＥＬ  〜ＥＨ  ）内にあれば、印章有りが判断され、ステップ６１に示すように、副走査方向に沿った印章位置が範囲Ｅ内に特定される。また、Ｅが範囲（ＥＬ  〜ＥＨ  ）を外れている場合、ステップ６２に示すように、印章無しが判別されて判別動作が終了される。
【００２５】
以上のように、主走査方向の印章位置が範囲Ｃ内に特定され、副走査方向の印章位置が範囲Ｅ内に特定されると、ステップ６３に示すように、紙葉類２の印章位置が判別される。そして、判別された印章位置のみのデータは、印章データとしてメモリ３２内に再び格納される。
【００２６】
次に、印章の形状判別について、図６および図７を用いて詳細に説明する。
印章の形状を判別する場合には、まず、メモリ３２に格納された印章部分のみの印章データをプロセッサ３６内に読み込み、必要に応じてこの印章データを拡大する。そして、図７に示すように、印章データ内の予め決定された位置の１次元データ（ライン７０に沿った１次元データ）が抽出される（ステップ７１）。抽出された１次元データは、図示しないメモリ内に予め用意された参照データ（１次元データと同じ位置の基準となる標準データ）と比較され、２つのデータが照合される（ステップ７２）。
【００２７】
そして、ステップ７３に示すように、２つのデータが一致したかどうかが判断され、この結果、２つのデータが一致している場合（ステップ７４）には、形状の一致が判別され、２つのデータが不一致の場合（ステップ７５）には、形状の不一致が判別される。
【００２８】
次に、印章色の判別について、図８を用いて詳細に説明する。
印章色を判別する場合には、上述したように、メモリ３２からの１次元データを用意するとともに、同様にメモリ３４からの１次元データを用意する（ステップ８１）。メモリ３４から１次元データを抽出する場合には、メモリ３２から抽出した１次元データと同じ座標のデータを抽出する。これにより、遮断フィルター１２を通過したデータから抽出した１次元データと、透過フィルター１６を通過したデータから抽出した１次元データと、を同じ条件で抽出する。そして、ステップ８２に示すように、用意された各１次元データをそれぞれ積分した積分データを用意する。
【００２９】
一方、遮断フィルター側の基準となる遮断データを積分した積分データの下限値ＳＣＬおよび上限値ＳＣＨと、透過フィルター側の基準となる透過データを積分した積分データの下限値ＳＰＬおよび上限値ＳＰＨと、を図示しないメモリ内に予め格納しておく。そして、ステップ８３に示すように、ＳＣＬ、ＳＣＨ、ＳＰＬ、ＳＰＨを読み出して上述した各積分データと比較し、ステップ８４に示すように、遮断フィルター側の積分データＳＣ  がＳＣＬからＳＣＨの間にあるかどうか、および透過フィルター側の積分データＳＰ  がＳＰＬからＳＰＨの間にあるかどうか、を判断する。
【００３０】
この結果、各積分データがそれぞれ上記範囲内にある場合（ステップ８５）にのみ印章色の一致を判別し、それ以外の場合（ステップ８６）に印章色の不一致を判別する。つまり、各フィルターを通過したデータの出力値は、ＣＣＤに入射される光線の波長（色）により変化されるため、印章データの一部分を抽出してその積分値を比較することにより印章色を判別できる。
【００３１】
以上のように、本実施例に係る印章判別装置は、紙葉類からの反射光線を２系統に分岐して、一方の光線は印章色遮断フィルターを通過させ、他方の光線は印章色透過フィルターを通過させている。そして、各フィルターを通過した光線を光電変換した後デジタル化し、遮断フィルター側のデータから抽出した１次元データを用いて印章の位置および形状を判別し、遮断フィルター側の１次元データおよび透過フィルター側の１次元データを用いて印章の色を判別している。
【００３２】
従って、印章の判別、特に印章色の判別をより正確にすることができる。また、１次元データを用いた判別を実行することにより、従来の２次元データを用いた判別と比較して判別動作を高速化することができる。
【００３３】
また、紙葉類に押印された印章の背景色が黒あるいは黒の多い模様である場合には、遮断フィルター並びに透過フィルターの通過後のデータを組み合わせることで、一次元データを取ると更に正確な印章判別が可能になる。図９は、他の実施例における印章判別における印章位置の判別動作を示すフローチャートであるが、この図面を参照して上記遮断フィルター並びに透過フィルターの通過後のデータを組み合わせる場合について説明する。尚、本装置の構成は、図１にて説明したものと同一であり、プロセッサ３６での処理が異なる。
【００３４】
すなわち、遮断フィルター１２通過後、メモリ３２に格納された紙葉類２の２次元データをプロセッサ３６内に読み込む（ステップ９１）。そして、その後に通過フィルター１６通過後、メモリ３４に格納された紙葉類２の２次元データをプロセッサ３６内に読み込む（ステップ９２）。
【００３５】
そして、プロセッサ３６は、これらの２次元データを統合して図４に示すような出力分布を有する紙葉類２の主走査方向に沿った一次元データを算出する（ステップ９３）。この一次元データの算出に当たっては、例えばメモリ３２、３４からのデータの排他的論理和をとって出力されるデータを副走査方向に沿って加算することで得られる。このステップ９３の後、図３を参照して述べたようにステップ５２乃至ステップ５６のように処理される。
【００３６】
ステップ５５にて主走査方向に沿った印章位置が範囲Ｃ内に特定されると、遮断フィルター１２通過後、メモリ３２に格納された紙葉類２の２次元データをプロセッサ３６内に再度読み込む（ステップ９４）。そして、その後に通過フィルター１６通過後、メモリ３４に格納された紙葉類２の２次元データをプロセッサ３６内に再度読み込む（ステップ９５）。
【００３７】
そして、プロセッサ３６は、これらの２次元データを統合して図５に示すような出力分布を有する紙葉類２の主走査方向に沿った一次元データを算出する（ステップ９６）。この一次元データの算出に当たっては、例えばメモリ３２、３４からのデータの排他的論理和をとって出力されるデータを範囲Ｃ内のデータのみを考慮して主走査方向に沿って加算することで得られる。このステップ９６の後、図３を参照して述べたようにステップ５８乃至ステップ６３のように処理され、印章位置が判別される。
【００３８】
尚、この発明は、上述した実施例に限定されるものではなく、この発明の範囲内で種々変更可能である。例えば、本実施例における検出手段は、上述したラインセンサとしてのＣＣＤに限らず、エリア式ＣＣＤとすることもできる。また、印章データから抽出される１次元データは、任意の位置から抽出することが可能で、判別精度を向上する目的で複数のデータを抽出しても良い。更に、上述の実施例においては紙葉類からの反射光線を２系統に分岐して２つのＣＣＤで同時に紙葉類を走査したが、２つのＣＣＤが別々に紙葉類を走査するようにしても良い。
【００３９】
【発明の効果】
以上説明したように、この発明の印章判別装置は、上記のような構成および作用を有しているので、正確且つ高速に印章の判別が可能である。
【図面の簡単な説明】
【図１】図１は、この発明の実施例に係る印章判別装置を示す概略図。
【図２】図２は、図１の装置に組込まれたプロセッサの動作を示すフローチャート。
【図３】図３は、印章判別における印章位置の判別動作を示すフローチャート。
【図４】図４は、紙葉類の主走査方向に沿った印章位置の判別過程を示す概略図。
【図５】図５は、紙葉類の副走査方向に沿った印章位置の判別過程を示す概略図。
【図６】図６は、印章判別における印章形状の判別動作を示すフローチャート。
【図７】図７は、抽出された印章データおよびその１次元データを示す概略図。
【図８】図８は、印章判別における印章色の判別動作を示すフローチャート。
【図９】図９は、この発明の他の実施例に係る印章位置の判別動作を示すフローチャート。
【符号の説明】
２…紙葉類、４…搬送路、４ａ、４ｂ…搬送ローラ、６…光源、８…ハーフミラー、１１、１５…集光レンズ、１２…印章色遮断フィルター、１４、１８…ＣＣＤ、１６…印章色透過フィルター、２２、２４…増幅器、２６、２８…ＡＤコンバーター、３２、３４…メモリ、３６…プロセッサ。
【図１】
0003600289.tif 000002
【図２】
0003600289.tif 000003
【図３】
0003600289.tif 000004
【図４】
0003600289.tif 000005
【図５】
0003600289.tif 000006
【図６】
0003600289.tif 000007
【図７】
0003600289.tif 000008
【図８】
0003600289.tif 000009
【図９】
0003600289.tif 000010